(57)【特許請求の範囲】
【請求項１】
外周が円柱状の型に形成され、当該円柱状の型の内側底面に複数の孔が設けられ、当該孔の縁の外周に前記円柱状の型より低い円柱状の環が形成され、当該円柱状の環の側面一周に三角すいが等間隔で扇状に並設され、当該三角すいの底面が前記円柱状の環の側面に当接し、三角すいを形成する一の側面が底部を形成していることを特徴とする排水口の毛髪除去皿。
【請求項２】
前記円柱状の型の側面上部分には最低２ケ以上の逆直角三角形型またはひし形型の溝が形成されており、前記円柱状の型の内側底面に設けられた複数の孔の縁の外周に設けられた三角すいの稜線にも逆三角形型の角度９０度のＶ溝が形成されており、当該Ｖ溝は円柱状の内側底面より必ず盛り上がっていることを特徴とする請求項１に記載された排水口の毛髪除去皿。
【請求項３】
前記円柱状の型の内周は必ず垂直面となっていることを特徴とする請求項１又は２に記載された排水口の毛髪除去皿。
【発明の詳細な説明】
【技術分野】
【０００１】  お風呂場において、髪を洗う毎日でどうしても，浴室の排水溝が髪の毛，繊維状の屑で目詰まりを進める要因になる。排水溝の途中のＵ字・Ｌ字の曲がり角で髪の毛が詰まりの原因を引き起こしていたことを解決する事を提供する。
【背景技術】
【０００２】  排水口に装着されるヘアキャッチヤーにおいて、排水口への排水流入口を有する本体部材と、排水流入口から排水口への固形物の流入を阻止するように配置される多数の櫛歯と、これらの櫛歯の一端を支持する櫛歯支持部とを有する櫛状部材とを備え、この櫛状部材は、各櫛歯が、本体部材に設けられたガイド用孔またはガイド用切欠内に嵌り込み、櫛歯の壁面がガイド用孔またはガイド用切欠の内壁面によってガイドされながら前記固形物の流入阻止位置から各櫛歯の先端がガイド用孔またはガイド用切欠の端面に一致する位置までスライド自在に本体部材に支持されていることを特徴としている。【０００３】  現在の使い捨てのポリプロピレン製の不織布の円形型のシートで穴が大きい穴と小さな穴がたくさん開けてある。また裏面には、風呂場の排水口に貼り付ける為の糊が付着してある。問題は毎日交換することはエ  コに問題が有る。消耗品として使い捨てするためにコストは高く着く。また排水口の周りの水分を除去しなければ密着性が劣るし貼り付かない欠点がある。高温・多湿には不向きである。廃棄にも各地方自冶体の廃棄区分に従うことと言う問題が沢山ある。【０００４】  プラスチック製の凹凸断面キャッチ製は髪の毛がこびり付きにくいが毛も通って排水溝に流れてしまう。排水口の上に置くだけで簡単な特性があるが女性の方が髪の毛を洗い大量のお湯を流すと重りが軽いため排水口からずれてしまい効果が発揮されていないし凹凸に左右に丸の孔・丸の長孔・長方形の孔・四角形孔等が沢山開けてあるが実際には髪の毛は孔から抜けて排水溝から流れてしまっているのが現状である。また髪の毛が凹凸ネットに絡んで逆にプラスチック製の凹凸から取り難い欠点がある。プラスチック製の中央に重りが入っている為廃棄する際は、重りを分離して廃棄する必要性がある。
【先行技術文献】
【特許文献】
【０００５】
【特許文献１】特許公開２００９−２５７０４５
【特許文献２】特許公開２００９−１８００８２
【特許文献３】特許公開２００９−０５２２２６
【発明の概要】
【発明が解決しようとする課題】
【０００６】  本発明の目的は、排水口で使用されている髪の毛や繊維屑等の除去を少なくとも多く排水溝に流さないで、毛髪除去皿で採取する目的である。いかに、キヤッチするかが課題であった。
本発明の目的は、多くの繊維状をいかにキヤッチさせるかである、今回の外側の円柱状の側面上部に設けられた逆直角三角形型の溝から排水が小さな渦を巻き、円柱状の底面の内側に設けられた孔に向かって流れる。本発明の目的は、内側でも再度流れてきた排水が小さな渦を巻き発生させて、この作用で髪の毛等が内側の孔縁周囲に三角すいの二辺が設けられて一周している。孔の縁の周りの三角すいの側面の一部の角部分に小さな溝が造られている。
その小さな溝に引掛り、排水溝に繊維状の屑が流れない事を提供することである。
【課題を解決するための手段】
【０００７】
（１）外周が円柱状の型に形成され、当該円柱状の型の内側底面に複数の孔が設けられ、当該孔の縁の外周に前記円柱状の型より低い円柱状の環が形成され、当該円柱状の環の側面一周に三角すいが等間隔で扇状に並設され、当該三角すいの底面が前記円柱状の環の側面に当接し、三角すいを形成する一の側面が底部を形成していることを特徴とする排水口の毛髪除去皿である。
排水口で使用される、髪の毛等の繊維屑除去は排水口の上に置く樹脂製の毛髪除去皿を排水口に置くだけでその周りで排水が小さな渦を巻きながら髪の毛が内側の毛髪除去皿の孔に排水が流れ込んでくる仕組みである。
（２）前記円柱状の型の側面上部分には最低２ケ以上の逆直角三角形型またはひし形型の溝が形成されており、前記円柱状の型の内側底面に設けられた複数の孔の縁の外周に設けられた三角すいの稜線にも逆三角形型の角度９０度のＶ溝が形成されており、当該Ｖ溝は円柱状の内側底面より必ず盛り上がっていることを特徴とする上記（１）に記載された排水口の毛髪除去皿である。
外側の円柱状の側面上部に作られた逆直角三角形型の溝から排水が流れ込む事で円柱状の底面の内側では排水が小さな渦を巻き内側にある孔に流れ入る。円柱状内部の底面に複数の孔が有り孔の縁の周りに造られた三角すいの二面が孔の一周に重なり有って、三角すいの頂点が孔から離れた位置に存在する。三角すいの稜線は孔から徐々に低くなるように傾斜しつつ伸びているのが特徴である。その為、外側の円柱状の側面に作られた逆直角三角形型の溝から流れ込んだ排水が円柱状の内部の底面で廻りながら排水が内側の孔の周りの三角すいの側面角に設けられた小さな溝の山に引っ掛かり髪の毛または繊維屑が引っ掛かる仕組みの技術を提供するものである。
【発明の効果】
【０００８】  いかなる排水口にも合う仕組みに造られていて、髪の短い方は、少ない洗浄水の時と髪の毛の長い方の洗う際の沢山の洗浄水を使用しても外側の円柱状の側面上部に二つ以上の造られた逆直角三角形等で水量調整をし、小さな渦を作り外側円柱状の内部底面に作られた複数の孔の三角すいの孔から離れた他の一辺の側面角の角部に設けられた小さな溝に毛髪が引っ掛かる事を特徴にした。
【図面の簡単な説明】
【０００９】
【図１】本発明に係る実施形態である。円柱状の型の内側底面には複数の孔３−１がある平面図である。
【図２】図１に係る円柱状の型の側面を表している、その側面の円周の概念図である。
【図３】本発明に係る実施形態の斜視図である。１−Ａは円柱状の型の底面を表している。外側円柱状の型の２１は盛り上がっている円周状の側面を表示する。円柱状の型の側面上部部分には２個以上の逆直角三角形型の溝２２Ａと２２Ｂがある。
【図４】本発明に係る実施形態の斜視図である。内側底面の孔３−１の縁周りには三角すいの二面（３１Ａ、３１Ｂ）が孔の縁の周り（３Ａ）を一周している。三角すいは図柄上では３１Ａと３１Ｂの二面で出来ている。また同じく３１Ｃと３１Ｄとで三角すいが図面上図示されている。隣の三角すいの孔の縁の周りでは二面３３Ａと３３Ｂが多少なりに重なっていることが特徴である。三角すいの頂点５０は孔から徐々に低くなるように傾斜しつつ伸びている。三角すいの二面の稜線３２Ａと３２Ｂと言う様に孔の縁３Ａの一周を囲んでいる。その三角すいの二面の稜線３２Ａは、頂点５０の方へ徐々に低くなるように傾斜しつつ延びている。
【図５】本発明に係る実施形態の平面図である。特徴は孔３−１の縁の周り３Ａの縁に一周して三角すいの二面が重なりあって孔の縁の周りを一周している。頂点５０は孔から離れて伸びていることが特徴である。またその間の三角すい頂上３２Ａまた３２Ｂの頂点から頂点５０に稜線１００が設けられている。その稜線１００に小さなＶ字溝を沢山作ることが特徴である。但し短い毛髪を除去しなければ図示の無い三角すい頂上３２Ｂから傾斜した頂上５０の稜線１００にＶ溝は不要である。
【発明を実施するための形態】
【００１０】以下、本発明に係る実施形態を図面に基づいて説明する。以下の実施形態は本発明の例示であって本発明を以下の形態に限定するものでない。
実施形態１
図１は、本発明に係る実施形態、１の平面図である。その外側円柱状の内側底面には複数の孔が開けられている。その孔の周りの縁には三角すいの二辺が孔縁一周にある事が特徴である。
図１に示す如く、実施形態１に係る繊維状のことは図示しない髪の毛等の繊維状を円柱状２１の上から排水が流れ込むがさらに図示されてない。円柱状の側面上部分に逆直角三角形の溝から作られている。排水は逆直角三角形型溝から流れることで少ない排水量でも外部円柱状の内側底面で排水が小さな渦を巻き易いことを起こす役目を図示していない逆直角三角形型溝が役目をする。
【００１１】実施形態２
図２は、本発明に係る実施形態１の側面図２１である。この外側円柱状の高さは、使用用途により異なるので図示していない。また外側円柱状の内側底面に設けられた孔（図示されていない）から排水が流れるが、排水口の口が小さいまた複雑な際は外側円柱状の上部から一周の軒１１０を出しその内面に吸盤１１５を設けることで髪の毛・繊維状の屑が大量の洗い髪用の排水でも排水口から横にずれないことを特徴にしている。
【００１２】実施形態３
図３は、本発明に係る実施形態図２の側面図２１である。この外側の円柱状の側面図には底面１−Ａと側面側に上部分に図示されていない、逆直角三角形型２２のＶ溝が施されている。
この逆型の溝内角度は９０度以内である。また図示しない逆直角正三角形型は三角形型でも良く、逆鋭角三角形でも良い、時には逆二等辺三角形型でも良い。
実施形態によりひし形でも平行四辺形でも良い。Ｖ形型およびＵ字形型でも良い結果がでた。
【００１３】実施形態４
図４は、本発明に係る実施形態  図示されてない、外側円柱状側面２１の斜視図の中の図示されていない、底面１−Ａの内側に複数の孔が施されている。この複数の孔を拡大した図４が一部の三角すいの二辺が孔縁３Ａの周りに複数で囲っている。この二辺の長さは等しい。この二辺の中央が３２Ａと３２Ｂが三角すいの一番高くなっていて、そこからもう一辺５０の方へ傾斜している。一辺は孔から離れた位置５０にきている。図示していない三角すいの孔の淵頂上（二辺の中央部分）から一辺５０に沿って傾斜している、三角すいと隣の三角すいの元は必ずとも重ならなくとも良い図示されていない。三角すいの二辺の交わった頂上から、離れた一辺５０の点までは、その傾斜に沿って小さな溝が作られている。孔の周りに三角すいの傾斜部分に排水等が当り小さな渦を巻いて孔の周辺の三角すいの傾斜面に沿って複数の三角すいを廻ってから孔に落ちて繊維状の屑等を除去して毛髪除去皿の下側の排水受皿を通って排水口に流れて行く。
【００１４】実施形態５
図５は、本発明に係る実施形態図で図示されていない、外側円柱状の底面に設けられた内側の孔の平面図である。図示されていないが、髪の毛および繊維状の屑等はこの孔の淵からある三角すいにて髪の毛および繊維状が屑は、孔縁３Ａの縁に設けられた三角すいの二辺中央部分上部から、他の一辺５０に傾斜１００している途中に設けられた側面上部分１００に設けられた逆三角形型の溝で排水が円柱状の内部底面上部中に入った途端、小さな渦となって周り内側の孔縁に設けられた三角すいの傾斜部分の溝に絡み合って排水のみが排水口に流れて髪の毛および繊維状に屑等は三角すい上部分３２Ａと３２Ｂ等の頂上から延びている傾斜面端傾斜面に引っ掛るので髪の毛や繊維屑は適度に除去すれば良い。
【実施例】
【００１５】毛髪除去皿を実際に風呂場の洗い場にて使用した結果、他社の製品と比較して気付いた点は、洗い髪の毛は毛質の表面に油分が有る為に外側円柱状の上部に造られている逆直角三角刑型のＶ溝から外側円柱状の内側に入り込んだ際に円柱状の底面内側上部に小さな渦ができてその渦状に油分のある髪の毛が円柱状の底面に設けられた孔の縁の周囲に作られた三角すいの二辺の中央３２Ｂから離れたもう一辺５０の方に伸びている傾斜面部分の盛上り１００に小さな溝を作りその盛上り部分の溝に洗い髪が引っ掛かる事を提供することを特徴にした。
【産業上の利用可能性】
【００１６】排水口に使用されている、如何なる髪の毛またはヘアキャチヤーは現在は金属製の物並び塩化ビニール製またはポリプロピレン製また軟質ナイロン性のシート性に物が沢山販売されているが如何なる物も、高価で高価の割には、髪の毛および繊維状を除去がなされていない。この為の髪の毛除去並び繊維状屑を除去をする装置は低価格で半永久的に使用が可能と思われる。
ただし無理に嵌め込み、踏み足等で壊せば別と考えられる。材質は、小さな子供のいる家には軟質塩化ビニール・軟質ポリプロエチレン・軟質シリコンゴム・硬質製の物でも良い。成型にて簡単に量産が可能なので、消費者に最適である。取り付け方は、現状の排水口にセットするのみで間単に取り付けられる事にメリットがある。以上のことで今まで排水溝に流れていた髪の毛および繊維状等が間単に除去できることで毎日の排水口の点検等が容易になった。
【図１】
0005617126.tif 000002
【図２】
0005617126.tif 000003
【図３】
0005617126.tif 000004
【図４】
0005617126.tif 000005
【図５】
0005617126.tif 000006